(57)【要約】【課題】プレス部品の最終形状をもとした簡易かつ高精度なコンピュータシミュレーションによるプレス部品のプレス成形解析法及びプレス部品を含んで構成される構造体の高精度な耐衝突性能特性や強度性能特性や剛性特性や振動・音響特性等の特性解析法を提供する。【解決手段】プレス部品の最終部品形状データ１をもとに、プレス部品に含まれる穴部を埋めた穴埋め形状データ３を作成し、その外周部に移動抵抗を設定したインバース解析モデル６を作成し、インバース解析モデル６ついてインバース解析法によりプレス成形解析を行なう。またこの方法により得られたデータ８をマッピングして、耐衝突性能特性や強度性能特性や剛性特性や振動・音響特性等の特性解析を連成的に行なう。【選択図】　　図１
2004050254.tif 000002
【特許請求の範囲】
【請求項１】
金属材料をプレス成形して製作されるか、もしくはプレス成形と合わせて穴明け加工やトリム加工や曲げ加工等の一つもしくは複数の加工を行って製作されるプレス部品の板厚分布や残留ひずみ分布等の特性をコンピュータシミュレーションにより解析するにあたって、プレス部品の加工後の最終部品形状のデータをもとに、その最終部品形状の外周部に移動抵抗を設定したインバース解析モデルを作成し、この最終部品形状の外周部に移動抵抗を設定したインバース解析モデルについてインバース解析法によりプレス成形解析を行なうことを特徴とするコンピュータシミュレーションによるプレス部品の成形解析法。
【請求項２】
金属材料をプレス成形と合わせて穴明け加工やトリム加工や曲げ加工等の一つもしくは複数の加工を行って製作されるプレス部品の内その加工工程としてプレス成形後に穴明け加工を行うプレス部品の板厚分布や残留ひずみ分布等の特性をコンピュータシミュレーションにより解析するにあたって、プレス部品の加工後の最終部品形状のデータをもとにそのプレス成形後にあけられた穴部を埋めた穴埋め形状のデータを作成し、その穴埋め形状の外周部に移動抵抗を設定したインバース解析モデルを作成し、この穴埋め形状のデータの外周部に移動抵抗を設定したインバース解析モデルについてインバース解析法によりプレス成形解析を行なうことを特徴とするコンピュータシミュレーションによるプレス部品の成形解析法。
【請求項３】
一つもしくは複数のプレス部品から構成されるか、一つもしくは複数のプレス部品を含んで構成される構造体の耐衝突性能や強度性能や剛性特性や振動・音響特性等の性能特性解析を行うにあたって、構造体に含まれるプレス部品の全てもしくは一部について請求項１または２に記載のプレス成形解析法により得られたプレス部品の板厚分布や残留歪み分布を含むデータを用いて、構造体の耐衝突性能特性や強度性能特性や剛性特性や振動・音響特性等の特性解析を連成的に行なうことを特徴とするコンピュータシミュレーションによるプレス部品を含む構造体の特性解析法。
【発明の詳細な説明】
【０００１】
【発明の属する技術分野】
本発明は、プレス成形により製作される部品のコンピュータシミュレーションによるプレス成形解析法及び自動車等のプレス部品を含む構造体の耐衝突性能特性や強度性能特性や剛性特性や振動・音響特性等の特性解析に関するものである。
【０００２】
【従来の技術】
従来より、自動車車両等のプレス成形金属部品を含む構造体の設計においては、コンピュータシミュレーションによりその構造体の耐衝突性能、強度、剛性や振動・音響特性等の特性に関する各種性能の解析が行なわれている。
【０００３】
プレス成形された金属部品はプレス前の母材（ブランク）と比較して、板厚、残留ひずみ、残留応力等の特性が変化する。また残留ひずみが変化することによる金属部品の加工硬化等により応力−歪み特性も大きく変化する。さらにこれらの変化は同一部品内においても部位によって異なる。従って、プレス成形金属部品を含む構造体の耐衝突性能、強度、剛性や振動・音響特性等の特性に関する解析を精度よく行なうためには、個々の部品のプレス成形による厚さ分布、残留歪み分布、応力−歪み特性の変化等を考慮したコンピュータシミュレーションモデルを作成し、解析する必要がある。
【０００４】
プレス成形される金属部品の成形性や成形後の板厚、残留歪み、応力分布等については、既にコンピュータシミュレーションによる成形解析法が提案されている。その代表的なものは、インクレメンタル（Ｉｎｃｒｅｍｅｎｔａｌ）法である。インクレメンタル法は、ブランク、金型、ホルダー、パンチ等の形状、材料特性、潤滑条件や押え力等のプレス条件をもとに、プレス加工の工程を微小なタイムステップに区切り、タイムステップ毎の微小変形について順次計算を積み重ねて行く解法であり、比較的高い計算精度が得られる。
【０００５】
このインクレメンタル法によりプレス成形される金属部品のコンピュータシミュレーションによる成形解析を行なうためには、まず金型、ホルダー、パンチ等の金型設計を行い、潤滑条件や押え力等のプレス条件を設定しなければならない。ところが通常の自動車の設計業務では、コンピュータシミュレーションによる耐衝突性能や強度等に関する解析評価を行ないながら部品形状を決定して行く。そして部品形状を決定した後で、プレスのための金型設計に入るのが普通である。従って、設計段階においては金型形状やプレス条件が決定されておらず、インクレメンタル法によるプレス成形解析が出来ない段階で耐衝突性能や強度等に関するコンピュータシミュレーションを行なう必要がある。またインクレメンタル法は一つのプレス部品の解析計算に数時間から数十時間という非常に長時間を要という問題もある。このためインクレメンタル法は主に個々のプレス部品の成型性検討や金型設計等には用いられているが、非常に多くのプレス部品からなる自動車等の構造体の設計段階での耐衝突性能や強度等の検討のためのコンピュータシミュレーションによる解析においてはほとんど行なわれていない。
【０００６】
このほか、プレス後の形状をベースとして解析を行うインバース（Ｉｎｖｅｒｓｅ）法がある。この方法はプレス後の最終形状からブランクの初期平面形状を逆解析し、プレスによる各部分の形状変化から板厚、残留歪み、残留応力等の特性を求める方法であり、インクリメンタル法と比較して非常に短時間で解析可能である。製品形状をもとにインバース解析を行えば、金型設計が不要であるうえ長い計算時間を要しないので、インクレメンタル法とは異なり通常の自動車等の構造体の設計段階での耐衝突性能や強度等の検討のためのコンピュータシミュレーション解析に取り入れることが可能である。しかしこの製品形状をもとにしたインバース法はあまりにも計算精度が低いため、実用性がないとされている。
【０００７】
上記したように、既存のコンピュータシミュレーション法にはそれぞれ欠点があり、実用的には用いられていない。そこで一般的には、プレス成形される部品の設計段階ではプレス成形に起因する板厚減少や加工硬化等の特性変化を無視し、プレス成形部材がプレス前の母材と同一の板厚であり、残留歪みもないものとして耐衝突性能や強度等に関する解析評価を行なっている。その結果、大きな解析誤差が生じており、コンピュータシュミレーションだけでは十分な精度での設計が行えないため、実験による耐衝突性能や強度等の確認と設計修正を何度も繰り返すことが必要になり設計を行なう上でのコスト増、設計工期増等の要因となっていた。
【０００８】
【発明が解決しようとする課題】
本発明は上記した従来の問題点を解決し、コンピュータシミュレーションにより、金型設計を必要とせずかつ短時間で部品の最終形状から精度よくプレス成形部品の板厚、残留歪み、残留応力等の特性を求め、さらに構造体の耐衝突性能特性や強度性能特性や剛性特性や振動・音響特性等の特性解析を高精度に行う解析法を提供するためになされたものである。
【０００９】
【課題を解決するための手段】
上記の課題を解決するために本発明者等は検討を重ねた結果、製品形状をもとにしたインバース解析の計算精度が低いことの主たる原因は、プレス成形の過程での金属の流れに対する移動抵抗が実際の現象と大きく異なっている点にあるのではないかと考えた。そして部品の最終形状の外周部に移動抵抗力を付加して解析を行なえば、短時間で精度の高いプレス成形解析が行なえることを究明した。
【００１０】
本発明は上記の知見に基づいて完成されたものであって、請求項１の発明のコンピュータシミュレーションによるプレス部品の成形解析法は、金属材料をプレス成形して製作されるか、もしくはプレス成形と合わせて穴明け加工やトリム加工や曲げ加工等の一つもしくは複数の加工を行って製作されるプレス部品の板厚分布や残留ひずみ分布等の特性をコンピュータシミュレーションにより解析するにあたって、プレス部品の加工後の最終部品形状のデータをもとに、その最終部品形状の外周部に移動抵抗を設定したインバース解析モデルを作成し、この最終部品形状の外周部に移動抵抗を設定したインバース解析モデルについてインバース解析法によりプレス成形解析を行なうことを特徴とするものである。
【００１１】
また、請求項２の発明のコンピュータシミュレーションによるプレス部品の成形解析法は、金属材料をプレス成形と合わせて穴明け加工やトリム加工や曲げ加工等の一つもしくは複数の加工を行って製作されるプレス部品の内その加工工程としてプレス成形後に穴明け加工を行うプレス部品の板厚分布や残留ひずみ分布等の特性をコンピュータシミュレーションにより解析するにあたって、プレス部品の加工後の最終部品形状のデータをもとにそのプレス成形後にあけられた穴部を埋めた穴埋め形状のデータを作成し、その穴埋め形状の外周部に移動抵抗を設定したインバース解析モデルを作成し、この穴埋め形状のデータの外周部に移動抵抗を設定したインバース解析モデルについてインバース解析法によりプレス成形解析を行なうことを特徴とするものである。
【００１２】
また請求項３の発明のコンピュータシミュレーションによるプレス部品を含む構造体の耐衝突性能や強度性能や剛性特性や振動・音響特性等の特性解析法は、構造体に含まれるプレス部品の全てもしくは一部について請求項１または２に記載のプレス成形解析法により得られたプレス後の板厚分布や残留歪み分布を含むデータを用い、構造体の耐衝突性能特性や強度性能特性や剛性特性や振動・音響特性等の特性解析を連成的に行なうことを特徴とするものである。
【００１３】
請求項１，２の発明によれば、インバース解析法によりプレス成形解析を短時間で精度良く行なうことができ、プレス後の板厚分布や残留歪み分布を正確に知ることができる。また請求項３の発明によれば、インバース解析法の結果を利用して連成解析を行ない、構造体の耐衝突性能特性、強度性能特性、剛性特性または振動・音響特性等の特性を精度良く求めることができる。従って本発明によれば、構造体の設計段階において、耐衝突性能特性、強度性能特性、剛性特性または振動・音響特性等に関する解析評価を実用的なレベルで行なうことができる。
以下に本発明をその実施形態とともに更に詳細に説明する。
【００１４】
【発明の実施の形態】
図１、図２は本発明の実施形態のフローを示すブロック図である。また図３は本発明の工程中で作成される形状データを、画像として模式的に示す斜視図である。図３の形状は画面上に表示されるだけのものであって、実物が存在するわけではない。なお、本発明において解析の対象とするのは、プレス成形によりもしくはプレス成形あわせてトリム加工及や穴開け加工により最終形状とされる金属部品であり、自動車の金属部品の多くはこれに該当する。この実施形態では、自動車ボディに用いられる図３Ａに示す形状の部品１１を解析対象とする。
【００１５】
最終形状のデータ１による形状を図３Ａに示す。ここで形状データとしてはＣＡＤデータを用いてもまたＦＥＭのメッシュデータを用いることが出来る。図３Ａから分かるように、この部品１１はプレス後に複数の穴部１２を加工されたものである。本発明では穴開け前のプレス成形解析を行なうのであるから、最終形状のデータ１から穴部１２を埋めた穴埋め形状のデータ３を作成する。その形状を図３Ｂに示す。
【００１６】
次にこのデータ３をもとにインバース解析モデルを作成するが、プレス成形中における金属の流れによる移動抵抗を考慮するため、穴埋め形状データの外周１３に、抵抗力１４を設定したインバース解析モデル作成５を行なう。設定する抵抗力は金属外周の流れ方向に対して反対方向になるように設定する。また抵抗力の大きさはデータの蓄積により最適な決定法を確立できるが、解析者が経験的に設定を行なうようにしてもよい。このインバース解析モデル作成５に際しては、材料特性４を考慮する。
【００１７】
また、もしプレス部品がプレス成形後に穴あけされていなければ、穴埋め処理２を省略して、最終製品形状１の外周に抵抗力を設定したインバース解析モデルを作成すればよく、この場合の実施形態のフローを図２に示す。
【００１８】
このようにして金属の流れに対する移動抵抗を考慮するための外周に抵抗力を設定したインバース解析モデル６を作成し、このモデルに対して公知のインバース解析法によりプレス成形解析７を行なう。前記したようにインバース解析法は金型データ等を必要とせず、部品形状からブランクの初期平面形状を逆算し、板厚、残留歪み、残留応力等の特性を求める方法である。本発明では移動抵抗を考慮したうえで部品の最終形状をもとにインバース解析を行なうため、短時間でしかも精度よくプレス後の板厚、残留歪み、残留応力等の解析結果データ８を求めることができる。
【００１９】
構造体の耐衝突性能や強度性能や剛性特性や振動・音響特性等の性能特性解析を行なう請求項３の発明においては、構造体を構成する個々のプレス部品に対し、それぞれ上記のプレス成形解析法により得られたプレス後の板厚分布や残留歪み分布を含む解析結果データ８を、特性解析モデル９の個々のプレス部品にマッピングして、公知特性解析を連成的に行なう。この特性解析プログラム自体は既存のものであるが、特性解析モデル９の個々のプレス部品に板厚分布や残留歪み分布等が正確にマッピングされているため、従来に比較して精度の高い衝突強度の解析が可能となる。
【００２０】
また、構造体を構成する全てのプレス部品に対しプレス後の板厚分布や残留歪み分布を考慮する必要が無い場合は、全てのプレス部品に対してプレス成形解析を行う必要はなく、板厚分布や残留歪み分布の考慮が必要な部材についてのみプレス成形解析と解析データのマッピングを行って連成連成解析を行えばよい。
【００２１】
次に、図４のような２つのプレス部品からなる潰れビードを持つ箱形構造の落重による耐衝突特性について、実験と本発明による解析結果を表１に示す。本発明による解析では２つのプレス部材のそれぞれの外周上に１ｃｍの長さあたり１０００Ｎの抵抗力を設定したインバース解析モデルを作成し、このモデルをインバース解析して板厚分布および残留ひずみ分布を求めて耐衝突性能特性モデルにマッピングして、特性解析を行った。表１から判るように、プレス部材のプレスによる板厚分布や残留ひずみ分布を無視した耐衝突特性は実験値に比べ大きな誤差が生じているが、本発明による解析の結果は実験値に非常近い値となっており、特性解析の大幅な精度向上がはかられている。なお図４のモデルは、高さ２１６ｍｍ×幅１２０ｍｍ×奥行き６０ｍｍのサイズのもので、材質は板厚１．６ｍｍ、最大強度５９０Ｍｐａの冷延鋼板であり、落重衝突条件は落重質量１１０ｋｇｆ、落重速度１２．９ｍ／ｓである。
【００２２】
【表１】
2004050254.tif 000003
【００２３】
【発明の効果】
以上に説明したように、本発明の部品のプレス成形解析法によれば、外周に移動抵抗を設定した最終部品形状をもとにしたインバース解析モデルを作成し、そのモデルをインバース法によりプレス成形解析することによって、部品の最終形状のデータから金型設計を必要とせずかつ非常に短時間でプレス成形部品の板厚、残留歪み、残留応力等の特性を求めることができる。
【００２４】
また本発明の構造体の耐衝突性能特性、強度性能特性剛性特性または振動・音響特性等部品の特性解析法によれば、プレス後の板厚分布や残留歪み分布を含むデータをマッピングした特性解析モデルを用いて衝突解析を連成的に行なうので、従来に比較して精度の高い特性解析が可能となる。
【００２５】
このように本発明によれば、自動車等のプレス部品を含む構造体の設計業務において、金型設計等の膨大な追加業務を伴うことなく、コンピュータシミュレーションによってプレス部品を含む構造体の特性に関する解析評価を非常に高精度で行なうことができるので、実験による耐衝突性能や強度等の確認や設計修正を大幅に減らすことができ、自動車等の構造体の設計を行なう上での低コスト化や設計工期短縮をはかることが可能になる。
【図面の簡単な説明】
【図１】本発明の実施形態のフローを示すブロック図である。
【図２】本発明の実施形態のフローを示すブロック図である。
【図３】本発明の工程中で作成される形状データの画像を示す斜視図である。
【図４】本発明の実施例で行った落重による衝突モデルである。
【符号の説明】
１　最終部品形状データ
２　穴埋め処理
３　穴埋め形状データ
４　材料特性
５　外周部に移動抵抗を設定したインバースモデルの作成
６　インバース解析モデル
７　インバース解析
８　インバース解析結果
９　特性解析モデル
１０　連成特性解析
１１　最終部品形状
１２　穴部
１３　穴埋め形状の外周
１４　穴埋め形状の外周に設定した移動抵抗
【図１】
2004050254.tif 000004
【図２】
2004050254.tif 000005
【図３】
2004050254.tif 000006
【図４】
2004050254.tif 000007